(57)【要約】【課題】法定車両検査に用いられる横滑り量測定台を使用して、車両のホイールアライメントを簡易に検査し、車両の所有者に検査結果を通知する。【解決手段】車両検査ラインに設けられ、被検査車両の進行方向と垂直な方向に移動する検査片を備え、前記検査片の移動量に基づき前記被検査車両の車輪の横滑り量を測定する横滑り量測定台と、横滑り量測定台に接続された制御装置と、制御装置に接続され、横滑り量測定台による測定結果を出力する出力手段と、を備えている。制御装置は、横滑り量測定台が検査した被検査車両から最初に得られた第１横滑り量の値を前輪の横滑り量の値とし、次に得られた第２横滑り量の値を後輪の横滑り量の値とする設定部と、設定部が設定した前輪の横滑り量の値と後輪の横滑り量を出力装置に送出する第２送出部と、を備えている。【選択図】図１
2013104810.tif 000002
【特許請求の範囲】
【請求項１】
車両検査ラインに設けられ、被検査車両の進行方向と垂直な方向に移動する検査片を備え、前記検査片の移動量に基づき前記被検査車両の車輪の横滑り量を測定する横滑り量測定台に接続される制御装置であり、
前記横滑り量測定台が測定した前記被検査車両から最初に得られた第１横滑り量の値を前記被検査車両の前輪の横滑り量の値とし、更に前記第１横滑り量の値の次に得られた第２横滑り量の値を前記被検査車両の後輪の横滑り量の値とすることを特徴とする横滑り量測定台の制御装置。
【請求項２】
車両検査ラインに設けられ、被検査車両の進行方向と垂直な方向に移動する検査片を備え、前記検査片の移動量に基づき前記被検査車両の車輪の横滑り量を測定する横滑り量測定台と、
前記横滑り量測定台に接続された制御装置と、
前記制御装置に接続され、前記横滑り量測定台による測定結果を出力する出力手段と、を備え、
前記制御装置は、前記横滑り量測定台が検査した前記被検査車両から最初に得られた第１横滑り量の値を前記被検査車両の前輪の横滑り量の値とし、更に前記第１横滑り量の値の次に得られた第２横滑り量の値を前記被検査車両の後輪の横滑り量の値とする設定部と、
前記設定部が設定した前記被検査車両の前記前輪の横滑り量の値と前記後輪の横滑り量を前記出力装置に送出する第２送出部と、を備えたことを特徴とするホイールアライメント検査通知装置。
【請求項３】
車両検査ラインに設けられ、被検査車両の進行方向と垂直な方向に移動する検査片を備え、前記検査片の移動量に基づき前記被検査車両の車輪の横滑り量を測定する横滑り量測定台と、
前記横滑り量測定台に接続された、第１制御手段と第２制御手段とを有する制御装置と、
前記制御装置に接続され、前記第１制御手段による結果と前記第２制御手段による結果を出力する出力手段と、を備え、
前記第１制御装置は、前記横滑り量測定台が検査した前記被検査車両から最初に得られた第１横滑り量の値を前記出力手段に法定検査の結果として送出する第１送出部とを備え、
前記第２制御手段は、前記横滑り量測定台が検査した前記被検査車両から最初に得られた第１横滑り量の値を前記被検査車両の前輪の横滑り量の値とし、更に前記第１横滑り量の値の次に得られた第２横滑り量の値を前記被検査車両の後輪の横滑り量の値とする設定部と、前記設定部が設定した前記被検査車両の前記前輪の横滑り量の値と前記後輪の横滑り量を前記出力装置に送出する第２送出部とを備えたことを特徴とするホイールアライメント検査通知装置。
【請求項４】
車両検査ラインに設けられ、被検査車両の進行方向と垂直な方向に移動する検査片を備え、前記検査片の移動量に基づき前記被検査車両の車輪の横滑り量を測定する横滑り量測定台と、
前記横滑り量測定台に接続された、第１制御手段と第２制御手段とを有する制御装置と、
前記制御装置に接続され、前記被検査車両に法定検査を行うか、前記被検査車両のホイールアライメント検査を行うかを選択する選択手段と、
前記制御装置に接続され、前記第１制御手段による前記法定検査の結果と前記第２制御手段によるホイールアライメント検査の結果を出力する出力手段と、を備え、
前記第１制御装置は、前記選択手段により法定検査が選択されると、前記横滑り量測定台が検査した前記被検査車両の横滑り量の値と、保安基準値とを比較し、前記被検査車両の横滑り量の結果を判定する第１判定部と、前記第１判定部が判定した結果を前記出力手段に法定検査の結果として送出する第１送出部とを備え、
前記第２制御手段は、前記選択手段により前記ホイールアライメント検査が選択されると、前記横滑り量測定台が検査した前記被検査車両から最初に得られた第１横滑り量の値を前記被検査車両の前輪の横滑り量の値とし、更に前記第１横滑り量の値の次に得られた第２横滑り量の値を前記被検査車両の後輪の横滑り量の値とする設定部と、前記設定部が設定した前記被検査車両の前記前輪の横滑り量の値と前記後輪の横滑り量をそれぞれの閾値と比較し、前記被検査車両のホイールアライメントの良否を判定する第２判定部と、前記第２判定部が判定した判定結果を前記出力装置に送出する第２送出部とを備えたことを特徴とするホイールアライメント検査通知装置。
【請求項５】
前記出力手段は、前記制御装装置から送出される結果を表示する表示装置、及び又は前記結果を印刷する印刷装置であり、
前記印刷装置は、前記第２制御手段からの検査結果について、車両の外形を表す車両外形図に、前記第２制御手段からの検査結果による、前記被検査車両の前輪の横滑り量を前記車両外形図の前輪に、かつ前記被検査車両の後輪の横滑り量を前記被検査車両の後輪に、それぞれの横滑り量に従って前記被検査車両に対する角度を変更して示すことを特徴とする請求項３又は４に記載のホイールアライメント検査通知装置。
【請求項６】
前記横滑り量測定台は、法定の車両検査に適合した測定台であることを特徴とする請求項２〜５のいずれか１項に記載のホイールアライメント検査通知装置。
【請求項７】
請求項２〜６のいずれか１項に記載のホイールアライメント検査通知装置を備えたことを特徴とする車両検査ライン装置。
【発明の詳細な説明】
【技術分野】
【０００１】
本発明は、横滑り量測定台に設けられ、車両のホイールアライメントを簡易に検査する横滑り量測定台の制御装置、及び横滑り量測定台を用いて、車両のホイールアライメントの簡易な検査を行い、検査結果を通知するホイールアライメント検査通知装置に関する。
【背景技術】
【０００２】
日本では、車両の使用者に、車両についての定期的な検査が義務付けられている。法定の車両検査（以下、「法定検査」とする。）には、光軸や灯火類などの検査、制動装置類の検査、排気の検査等に加え、サイドスリップと呼ばれる車輪の横滑り量を測定する検査項目が含まれている。法定検査は、基本的には公的な車両検査場で行うが、所定の検査機器を備えた民間の指定工場でも行うことが可能となっている。
【０００３】
車両は、各車輪に、所定のトー角、キャンバ角、キャスタ角、キングピン傾斜角などのホイールアライメントの値が予め設定されており、正規のホイールアライメントにおいて走行状態が最良となるように構成されている。一方、ホイールアライメントは、走行中に車輪が縁石等に当たるなどして、正規の値でなくなることがある。ホイールアライメントの不良は、走行中の車両のふらつきや、タイヤの偏磨耗や異常磨耗、振動の発生などを生じさせ、走行を不安定にさせる要因となることがある。
【先行技術文献】
【特許文献】
【０００４】
【特許文献１】特開平６−１８５９６２号公報
【発明の概要】
【発明が解決しようとする課題】
【０００５】
しかしながら、法定検査は、前輪の横滑り量の検査を義務付けているのみで、後輪については検査の義務がなかった。各指定工場等では、車両検査ラインに横滑り量検査装置を据え付けているが、据え付けられた横滑り量検査装置は、法定検査における前輪の横滑り量の検査にのみ使用されていた。
【０００６】
正規のホイールアライメント修正は、ホイールアライメント修正装置を用いてホイールアライメントを検査し、その結果から修正を行い、正規な値に戻している。ホイールアライメント修正は、ホイールアライメントの重要性が広く認知されていないことから、利用者が少なく費用が高くなりがちで、それが更に、利用者を減少させて、更に費用が高くなるという悪循環になることがあった。
【０００７】
又、従来は、ホイールアライメントの異常について簡易に検査する方法がなかった。法定検査は、前輪の横滑り量が保安基準を満たしていれば合格するため、後輪を含めた車輪全体でホイールアライメントに異常が生じることに気付きにくかった。そのため、タイヤに偏磨耗が生じていたり、走行中にハンドルがふられても、ホイールアライメントを修正するという発想に至らなかった。又、ホイールアライメントの構造は複雑であるため、検査数値を見ても、一般的に理解が難しかった。
【０００８】
本発明は、上記課題を解決し、法定の車両検査に用いられる横滑り量測定台を使用して、車両のホイールアライメントを簡易に検査し、検査結果を車両の使用者に通知することを目的とする。
【課題を解決するための手段】
【０００９】
上記の課題を解決し、目的を達成するため、本発明の一実施形態の横滑り量測定台の制御装置、横滑り量測定台を用いたホイールアライメント検査通知装置、及び車両検査ライン装置は次のように構成されている。
【００１０】
横滑り量測定台の制御装置は、横滑り量測定台が検査した被検査車両から最初に得られた第１横滑り量の値を被検査車両の前輪の横滑り量の値とし、更に第１横滑り量の値の次に得られた第２横滑り量の値を被検査車両の後輪の横滑り量の値とする。
【００１１】
ホイールアライメント検査通知装置は、車両検査ラインに設けられ、被検査車両の進行方向と垂直な方向に移動する検査片を備え、検査片の移動量に基づき被検査車両の車輪の横滑り量を測定する横滑り量測定台と、横滑り量測定台に接続された制御装置と、制御装置に接続され、横滑り量測定台による測定結果を出力する出力手段と、を備えている。又、制御装置は、横滑り量測定台が検査した被検査車両から最初に得られた第１横滑り量の値を被検査車両の前輪の横滑り量の値とし、更に第１横滑り量の値の次に得られた第２横滑り量の値を被検査車両の後輪の横滑り量の値とする設定部と、設定部が設定した被検査車両の前輪の横滑り量の値と後輪の横滑り量を出力装置に送出する第２送出部と、を備えている。
【００１２】
車両検査ライン装置は、前記ホイールアライメント検査通知装置を備えている。
【発明の効果】
【００１３】
本発明によれば、法定の車両検査に用いられる横滑り量測定台を使用して、法定検査の横滑り量を検査するとともに、車両のホイールアライメントの簡易な検査ができ、車両の所有者にホイールアライメントの検査結果を通知することができる。
【図面の簡単な説明】
【００１４】
【図１】本発明の第１実施形態にかかるホイールアライメント検査通知装置を示す斜視図。
【図２】同ホイールアライメント検査通知装置の構成を示すブロック図。
【図３】同ホイールアライメント検査通知装置に用いられる横滑り量測定台を示す平面図。
【図４】検査結果を記載した通知書の一部を示す平面図。
【発明を実施するための形態】
【００１５】
図１は、本発明の第１の実施形態にかかるホイールアライメント検査通知装置１０を示す斜視図、図２は、ホイールアライメント検査通知装置１０の構成を示すブロック図、図３は、横滑り量測定台１２を示す平面図、図４は、検査結果を記載した通知書の一部を示す平面図である。
【００１６】
ホイールアライメント検査通知装置１０は、図１に示すように、車両検査ライン２２に設置された横滑り量測定台１２と、制御装置１４と、入力装置１６と、表示装置（出力手段）１８と、印刷装置（出力手段）２０とを備えている。
【００１７】
横滑り量測定台１２は、法定の車両検査に用いられる横滑り量検査装置（サイドスリップ検査装置）に装着されている横滑り量測定台と同等の構成を備えており、指定工場などの車両検査ラインに据え付けられているものである。ここで法定の車両検査とは、道路運送車両法の保安基準に基づく検査をいう。
【００１８】
横滑り量測定台１２は、図３に示すように車両検査ライン２２に据え付けられる枠体部３２と、枠体部３２に移動可能に設けられた検査片としての踏板３６と、踏板３６の移動量を検出する検出部３８とを備えている。枠体部３２は、枠状で細長く、長手方向を車両検査ライン２２に対して垂直に配置して設けられている。踏板３６は、枠体部３２の左右に一対、長手方向に沿って移動自在に設けてある。横滑り量測定台１２は、左右２つの踏板３６が連動して作動する形式でも、左右の踏板３６が個別に作動する形式のいずれでもよい。
【００１９】
踏板３６は、車両検査ライン２２を図１に示すように被検査車両である車両３０が進行すると、車両３０の車輪が有するアライメントに従い移動する。検出部３８は、踏板３６と電気的、あるいは機械的に接続してあり、踏板３６の移動量を検出し、踏板３６の移動量から求められた車輪の横滑り量を制御装置１４に送り出す。
【００２０】
制御装置１４は、コンピュータであり、図２に示すように、第１制御装置２４と第２制御装置２６とを備えている。第１制御装置２４は、第１判定部２５と、第１送出部２７とを備え、法定の車両検査を処理する。第１判定部２５は、送られてきた車輪の横滑り量と法定の保安基準値とを比較し、横滑り量の検査結果を判定する。第１送出部２７は、車輪の横滑り量と第１判定部２５で判定された判定結果を、表示装置１８や印刷装置２０に送り出す。
【００２１】
第２制御装置２６は、設定部２９と、第２判定部３１と、第２送出部３３とを備え、ホイールアライメント（前後輪の整列状態）検査を行う。設定部２９は、横滑り量測定台１２から最初に送られてきた第１横滑り量の値を車両３０の前輪５４の横滑り量の値とし、更に、第１横滑り量の値の次に得られた第２横滑り量の値を車両３０の後輪５６の横滑り量の値として設定する。
【００２２】
第２判定部３１は、設定部２９が設定した車両３０の前輪５４の横滑り量の値および後輪５６の横滑り量と閾値とを比較し、車両３０のホイールアライメントの良否を判定する。第２送出部３３は、前輪５４の横滑り量、後輪５６の横滑り量、及び第２判定部３１が判定した判定結果を、表示装置１８や印刷装置２０に送り出す。
【００２３】
入力装置１６は、被検査車両である車両３０の車種、年式、登録番号、所有者の氏名などの車両３０を特定する情報とともに、その他車両検査に必要とされる必要事項を入力する。更に、入力装置１６は、選択手段としての選択スイッチ２８を備えている。選択スイッチ２８では、検査する内容が法定検査であるのか、ホイールアライメントの検査であるのかの選択が作業者から入力される。
【００２４】
表示装置１８は、例えば液晶表示装置やその他の平面表示装置からなる表示装置である。又、出力手段には、車両検査ライン２２の近傍に設けられた数字などを表示する電光掲示板３４も含まれる。表示装置１８等は、制御装置１４に接続され、制御装置１４から出力された表示内容を表示する。表示装置１８は、法定検査である前輪の横滑り量の検査結果を表示する機能を備えるとともに、車両３０の前輪と後輪の双方で行った横滑り量の検査結果、及びこれらの値から判定した車両３０のホイールアライメントの判定結果を表示する機能を備えている。
【００２５】
印刷装置２０は、複数の用紙から所望の用紙を選択し、制御装置１４から送られてきた出力内容を、選択された所定の印刷用紙に印刷を行う。尚、印刷装置２０での用紙の変更は、印刷に先立ち所定の用紙を人が印刷装置２０に配置するものでもよい。
【００２６】
印刷装置２０は、法定の車両検査の結果を所定の用紙、例えば指定整備記録簿に印刷する機能を備えるとともに、ホイールアライメント検査により得られた検査結果を所定の印刷用紙４０（図４参照。）に印刷する機能を備えている。尚、印刷装置２０は、法定の車両検査出力用と、ホイールアライメント検査出力用を個別に用意して用いてもよい。
【００２７】
ホイールアライメント検査通知装置１０がホイールアライメント検査を行った場合、印刷装置２０は、例えば次のようにして検査結果を出力する。ホイールアライメント検査の検査結果を印刷する印刷用紙４０には、図４に示すような一般的な車両全体を示す図柄４２が予め印刷されている。車両の図柄４２には、前後輪は印刷されていない。又、印刷用紙４０には、前輪、及び後輪の横滑り量の検査結果と、ホイールアライメントの検査結果の数値を記載する欄等が設けられている。
【００２８】
ホイールアライメント検査が行われると、印刷用紙４０に記載された車両の図柄４２の位置に合わせて、前輪を表す図形４４、及び後輪を表す図形４６が印刷される。更に、図形４４及び図形４６は、それらの横滑り量の測定結果に応じた角度を、車両の図柄４２の前後方向Ａに対して傾斜させて印刷する。
【００２９】
前輪を表す図形４４、及び後輪を表す図形４６の角度は、実際に測定された横滑り量の値より大きく傾かせて印刷用紙４０に印刷することが、検査結果を視覚的に理解する上から好ましい。加えて、印刷用紙４０には、各車輪に関して車両ごとに定められた横滑り量の許容範囲５１を有する目盛り５０と、測定された横滑り量の値を目盛り５０に重ねて示す指針５２を記載する。目盛り５０は、ほぼ半円形で、許容範囲５１と許容範囲外５３が記してある。尚、同一の許容範囲５１を有する車種ごとに、目盛り５０を予め印刷した印刷用紙４０を用意して用いてもよい。
【００３０】
更に、印刷用紙４０には、ホイールアライメント検査の検査結果が表す意味と、ホイールアライメントを構成する各要素、トー角、キャンバ角、キャスタ角、キングピン傾角についての定義やその重要性などを記載した欄が設けられている。又、車輪の向きを変化させた車両の図は、表示装置１８に表示させてもよい。尚、印刷用紙４０は、白紙であって、印刷装置２０で印刷用紙４０に車両の外形を含め全ての画像を印刷するようにしてもよい。
【００３１】
次に、第１の実施形態にかかるホイールアライメント検査通知装置１０の作動について説明する。まず、ホイールアライメント検査通知装置１０を用いて法定検査を行う場合について説明する。
【００３２】
車両３０を車両検査ライン２２の入り口に進入させたなら、選択スイッチ２８を操作し、車両３０について法定検査を行うか、ホイールアライメント検査を行うかの作業の内容を選択する。選択スイッチ２８から、法定検査を行う旨の入力がなされたとすると、作業者（検査員）は入力装置１６から、車両３０の使用者名、登録番号、車種、年式等の車両３０を特定するための各種情報を入力する。入力された情報は、制御装置１４に送られるとともに、表示装置１８で表示される。作業者は、表示装置１８に表示された内容を確認する。その際、確認ボタンを表示装置１８に表示させて、それを押すようにしてもよい。
【００３３】
確認ボタン等により内容が確認されたなら、制御装置１４は、入力装置１６から入力された車両３０に関する情報に基づき、法定検査に関する車両３０の横滑り量（サイドスリップ量）の保安基準値を設定する。そして、入力装置１６から検査開始のスイッチを操作し、検査開始の指示が表示装置１８や電光掲示板３４に表示されたなら、車両３０を車両検査ラインに沿ってゆっくり前進させ、横滑り量測定台１２の踏板３６上を通過させる。
【００３４】
車両３０が車両検査ライン２２に従って走行し踏板３６の上を通ると、車両３０の前輪５４が踏板３６を左右方向に移動させるので、検出部３８が踏板３６の移動量を検出し、移動量から求められた前輪５４の横滑り量を第１制御装置２４に送る。
【００３５】
第１制御装置２４に送られた横滑り量は、第１送出部２７が電光掲示板３４、表示装置１８、印刷装置２０に送出する。又、第１判定部２５が、横滑り量と保安基準値とを比較し、法定検査の結果を判定する。判定結果は、第１送出部２７が電光掲示板３４、表示装置１８、印刷装置２０に送出する。
【００３６】
表示装置１８や印刷装置２０は、それぞれ法定に従った所定の様式で検査結果を出力する。これにより、ホイールアライメント検査通知装置１０を用いた車両３０の横滑り量の法定検査は終了する。
【００３７】
一方、ホイールアライメント検査通知装置１０は、選択スイッチ２８で、ホイールアライメントの検査が選択されると、車両３０についてホイールアライメント検査を開始する。選択スイッチ２８で、ホイールアライメント検査が選択され、検査開始のスイッチが入力されると、第２制御装置２６が作動する。第２制御装置２６は、記憶部３５から、車両３０に関する各種ホイールアライメントの数値を入手する。
【００３８】
表示に従って車両３０が車両検査ラインを進行して、横滑り量測定台１２に車両３０が乗り入れられると、第２制御装置２６の設定部２９は、最初に横滑り量測定台１２が測定した第１横滑り量の値を、車両３０の前輪５４の横滑り量として設定する。
【００３９】
更に、車両３０が前進して、車両３０の後輪５６が横滑り量測定台１２に乗り入れ、横滑り量測定台１２で第１横滑り量の次に計測された第２横滑り量を、設定部２９が、車両３０の後輪５６の横滑り量として設定する。
【００４０】
設定部２９で設定された、車両３０の前輪５４の横滑り量及び後輪５６の横滑り量をそれぞれの閾値と比較し、車両３０のホイールアライメントの良否を第２判定部３１が判定する。第２判定部３１による判定結果と、前輪５４の横滑り量及び後輪５６の横滑り量は、第２送出部３３が表示装置１８や印刷装置２０に送り出す。
【００４１】
印刷装置２０では、車両３０の前輪５４の横滑り量の値と後輪５６の横滑り量の値を受け取ると、目盛り５０とともに、印刷用紙４０の車両の図柄４２に、前輪５４及び後輪５６に対応した図形４４及び４６を、図柄４２の前後方向Ａに対して、計測された横滑り量に基づいて向きを変化させて印刷する。また、表示装置１８に、かかる図柄４２と図形４４、４６とを表示させる。
【００４２】
このように第１の実施形態にかかるホイールアライメント検査通知装置１０は、ホイールアライメント検査を選択することにより車両３０の車輪に関する情報が表示装置１８や印刷装置２０から出力され、目盛り５０と指針５２とから４輪全てのアライメントの状態が容易に把握できる。
【００４３】
仮に、法定で定められた前輪５４の横滑り量の測定結果が良好であっても、例えば後輪５６の横滑り量の測定結果が規定値、すなわち許容範囲５１を外れている場合も考えられる。その場合、実際のホイールアライメントに異常が生じていることを、印刷用紙４０に印刷された指針５２が許容範囲５１を外れて、許容範囲外５３を指していることから視覚的に容易に理解できる。又、許容範囲５１は、車種毎に設定されるので、ホイールアライメントの狂いを正確に認知することができる。
【００４４】
そして、法定検査では問題がなくとも、ホイールアライメントが正しく設定されていないことを確認し、車両３０のホイールアライメントを、ホイールアライメント修正装置を用いて正式に調整を行うきっかけとなり、しかもホイールアライメントを整えることの重要性を改めて認識することができる。
【００４５】
このように第１の実施形態のホイールアライメント検査通知装置１０によれば、法定検査に用いられる横滑り量測定台１２を使用して、車両３０の前後輪の横滑り量を測定し、四輪の配列状態を目盛り５０と指針５２とから視覚的に表示し、今までホイールアライメントの重要性に注意を払わなかった車両の使用者が、その重要性に気づくきっかけとすることができる。
【００４６】
又、従来法定検査にしか使用されていなかった横滑り量測定台１２を、他の用途に利用でき、装置の利用効率が向上できる。更に、ホイールアライメント検査通知装置１０の通知により、正確なホイールアライメント修正を行うこととなり、ホイールアライメント修正装置の稼動率が向上する。
【００４７】
尚、第１実施形態では、選択スイッチ２８を用いて法定検査とホイールアライメント検査の実施を区分したが、選択スイッチ２８を設けず、車両３０に対して、法定検査とホイールアライメント検査を重ねて行ってもよい。この場合は、双方の結果が出力装置に出力されるものとする。
【００４８】
次に、第２の実施形態のホイールアライメント検査通知装置１０について説明する。前記実施形態では、ホイールアライメント検査通知装置１０を一体で構成したが、第２の実施形態のホイールアライメント検査通知装置１０は、一部を既に設置されている機器類を用いて構成している。
【００４９】
横滑り量測定台１２は、指定工場等に既に設置されているものとする。かかる横滑り量測定台１２は、制御装置や表示装置等とともに、横滑り量検査装置を構成し、法定検査を行うに必要な条件を具備している。又、横滑り量測定台１２に接続されている制御装置（「既設の制御装置」とも言う。）には、法定検査の作動プログラムが格納されているが、基本的に他の機能のプログラムは格納されていないものとする。又、横滑り量測定台１２に接続されている表示装置等の出力機器類（「既設の表示装置等」とも言う。）は、法定検査の結果を表示する等、法定検査に要する出力を行う機能は備えているが、その他の機能は基本的に備えていないものとする。
【００５０】
このような、指定工場等に既に横滑り量検査装置が設置されている状況において、ホイールアライメント検査通知のための新プログラムを用意し、新プログラムを既設の制御装置に組み入れる。新プログラムは、横滑り量測定台１２が検出した横滑り量の値から被検査車両の前後輪の横滑り量を検査する制御プログラムである。新プログラムが既設の制御装置に組み込まれると、既設の制御装置に既に格納されているプログラムで第１制御装置２４を構成し、新プログラムは、第２制御装置２６を構成する。
【００５１】
具体的には、新プログラムによる第２制御装置２６は、被検査車両の検査が開始されると横滑り量測定台１２から最初に得られた第１横滑り量の値を車両３０の前輪５４の横滑り量の値とし、第１横滑り量の値の次に得られた第２横滑り量の値を車両３０の後輪５６の横滑り量の値として設定する。
【００５２】
そして、新プログラムを組み入れた制御装置１４は、横滑り量測定台１２から得られた結果に基づき、前輪５４の検査結果を、法定検査の結果として出力するとともに、前後輪を合わせた横滑り量の値を、ホイールアライメントの簡易検査結果として出力する。結果の出力は、表示装置１８を用いて検査結果を数値表示したり、印刷装置２０で検査結果を印刷用紙に印刷する。
【００５３】
又、指定工場に設置されていた従来の出力装置が、法定検査の出力にしか対応しておらず、ホイールアライメント検査通知が出力できない場合には、新たにプログラムを組み入れた制御装置１４に、別途、既設の印刷装置で不足する機能を備えた新たな表示装置１８や印刷装置２０を接続させて所定の出力を行わせる。
【００５４】
このように、ホイールアライメント検査に対応した新プログラムを別途用意し、既設の横滑り量測定台１２に組み込まれているプログラムに追加し、又、必要とされる出力装置、例えばインクジェットプリンタや液晶表示装置等を用意し、既設の横滑り量測定台１２に一部新たな機器類を追加して構成しても、第１の実施形態のホイールアライメント検査通知装置１０と同様に機能し、ホイールアライメント検査通知装置１０と同等の作用及び効果を得ることができる。更に、既存の設備を最大限活用して、ホイールアライメント検査を実施できるホイールアライメント検査通知装置１０を構成できる。
【００５５】
次に、本発明の第３の実施形態にかかるホイールアライメント検査通知装置１０について説明する。この例では、ホイールアライメント検査通知装置１０は、既設の横滑り量検査装置に、別途ホイールアライメント検査通知のために新制御装置を別途用意し、接続させる。すなわち、既設の制御装置は、第１制御装置２４として機能し、新制御装置は、ホイールアライメント検査処理の第２制御装置２６として機能する。第１制御装置２４と第２制御装置２６とを接続させて、制御装置１４を構成する。
【００５６】
又、ホイールアライメント検査通知に必要とされる出力装置、例えばインクジェットプリンタや液晶表示装置等を用意し、制御装置１４に接続する。
【００５７】
このようにホイールアライメント検査通知装置１０を構成しても、第１実施形態のホイールアライメント検査通知装置１０と同様、横滑り量測定台１２を用いた既設の機器類で法定検査を従来通りに処理でき、一方新制御装置では、横滑り量測定台１２からの結果に基づき、ホイールアライメント検査通知を行うことができる。
【００５８】
次に、第４の実施形態のホイールアライメント検査通知装置を説明する。この例では、既設の制御装置に代えて取り替える、新しい制御装置１４を別途用意する。制御装置１４には、法定の横滑り量検査を処理する第１制御装置２４と、ホイールアライメント検査処理の第２制御装置２６とを備えている。又、出力装置として、法定検査の検査結果とホイールアライメント検査通知の双方に対応した機能を有する表示装置１８や印刷装置２０を用意する。
【００５９】
指定工場等で既設の横滑り量検査装置を備えている場合、既設の横滑り量検査装置の制御装置を新たな制御装置１４に取り替える。また、別途表示装置１８と印刷装置２０を、既設の表示装置に追加して接続する。尚、既設の表示装置等と、新たな表示装置等とが機能的に重複する場合は、既設の表示装置等を外してもよい。
【００６０】
このようにホイールアライメント検査通知装置１０を構成しても、第１の実施形態のホイールアライメント検査通知装置１０と同様に機能し、ホイールアライメント検査通知装置１０と同等の作用及び効果を得ることができる。更に、既存の設備を活用して、ホイールアライメント検査通知装置１０を構成できる。又、既設の制御装置に代えて新たな制御装置１４を接続するので、設定作業が容易である。
【００６１】
更に、本発明の第５実施形態について説明する。この例は、前記第１から第４実施形態にかかるホイールアライメント検査通知装置１０のいずれかを、車両検査ライン装置に組み込んで、車両検査ライン装置を構成する。車両検査ライン装置は、被検査車両の制動検査、速度検査、排気検査、光軸検査等を含み、その中に前記実施形態にかかるホイールアライメント検査通知装置のいずれかを組み付ける。
【００６２】
このようにして車両検査ライン装置を構成すると、車両検査ライン装置を設置して検査ラインを工場内に設置すると、検査ラインにおいて、法定検査が従来どおり実施できるとともに、かかる検査ラインを用いて、ホイールアライメントの簡易検査を実施し、その検査結果を車両の所有者に通知することができる。
【００６３】
検査結果により、ホイールアライメントが正規の値を有していないことが判明したなら、正規なホイールアライメント検査をホイールアライメント修正機で行い、ホイールアライメントを修正するように薦めることができる。
【００６４】
尚、本発明の横滑り量測定台の制御装置、ホイールアライメント検査通知装置、及び車両検査ライン装置は、前記第１から第５実施形態に限るものではない。例えば、表示装置１８や印刷装置２０は、前記例に限らず他の構成を有するものでもよい。又、制御装置１４と表示装置１８等との接続は、有線に限らず、無線通信で行うようにしてもよい。
【産業上の利用可能性】
【００６５】
本発明は、横滑り量測定台を用いて車両のホイールアライメントを簡易に検査するホイールアライメント検査通知装置に利用できる。
【符号の説明】
【００６６】
１０…ホイールアライメント検査通知装置、１２…横滑り量測定台、１４…制御装置、１６…入力装置、１８…表示装置、２０…印刷装置、２２…車両検査ライン、２４…第１制御装置、２５…判定部、２６…第２制御装置、２７…送出部、２８…選択スイッチ、２９…設定部、３０…車両、３１…判定部、３３…送出部、３５…記憶部、３８…検出部、４０…印刷用紙、４２…図柄、４４…図形、４６…図形、５２…指針、５４…前輪、５６…後輪。
【図１】
2013104810.tif 000003
【図２】
2013104810.tif 000004
【図３】
2013104810.tif 000005
【図４】
2013104810.tif 000006